(57)【要約】【課題】コ字型あるいはＵ字型の冷陰極放電管等のランプを効率的に且つ破損を防止しつつ収納すると共に、破損のおそれなく容易に開封作業を行うことができるランプ搬送体を提供する。【解決手段】本発明は、コ字型のランプＲを搬送可能な搬送体１であって、複数の前記ランプＲを跨がせて載置可能な載置部１１と、前記載置部１１上の前記ランプＲの曲部Ｒ１を覆う蓋部１３と、前記載置部１１を跨いだ前記ランプＲの両方の直管部Ｒ２を保護すべく前記直管部Ｒ２の直径以上の高さを有する突片部１４とを備えたことを特徴としている。【選択図】  図１
2005035554.tif 000002
【特許請求の範囲】
【請求項１】
コ字型あるいはＵ字型のランプを搬送可能な搬送体であって、複数の前記ランプを跨がせて載置可能な載置部と、前記載置部上の前記ランプの曲部を覆う蓋部と、前記載置部を跨いだ前記ランプの両方の直管部を保護すべく前記直管部の直径以上の幅を有する突片部とを備えたことを特徴とするランプ搬送体。
【請求項２】
前記ランプの直管部の先端部をそれぞれ覆って保護する押さえ部を備えた請求項１に記載のランプ搬送体。
【請求項３】
請求項１または２に記載されたランプ搬送体を複数収納可能な搬送容器であって、前記ランプ搬送体を一つ収納可能な略矩形の収納領域が複数設けられており、前記収納領域の寸法が前記ランプ搬送体と略同様であることを特徴とする搬送容器。
【発明の詳細な説明】
【０００１】
【発明の属する技術分野】
本発明は、コ字型あるいはＵ字型の冷陰極放電管等のランプを搬送可能なランプ搬送体、およびこのランプ搬送体を複数収納可能な搬送容器に関するものである。
【０００２】
【従来の技術】
液晶表示装置のバックライト光源として、近年では、コ字型あるいはＵ字型の冷陰極放電管（以下「コ字型等の冷陰極放電管」という。）が用いられることがある。このようなコ字型等の冷陰極放電管が用いられるのは、二本の冷陰極放電管（直管型）が必要な箇所であっても、一本で対応可能となるからである。
【０００３】
さて、以上のような利点を有するコ字型等の冷陰極放電管は、ガラスで構成され直径が数ミリの極細管でしかも湾曲部を有するため、搬送時に破損等が発生しやすい。よって、搬送時における包装には、細心の注意が必要となる。
【０００４】
具体的には、例えば、図７あるいは図８に示すようにして、各冷陰極放電管Ｒの包装が行われ、このようにして包装された冷陰極放電管Ｒが、図９に示すような複数の領域４０１を設けた段ボール等の搬送容器４００に収納して搬送される。
【０００５】
図７に示す従来技術（第一従来技術）においては、コ字型等の冷陰極放電管Ｒが一本ずつエアパッキン等の緩衝部材２０１を用いて包装され、緩衝部材２０１の所定箇所が粘着テープ２０２にて固定されている。そして、この第一従来技術によれば、このように緩衝部材２０１によって冷陰極放電管Ｒを包装して構成された包装体２００が、図９に示した搬送容器４００の各領域４０１に収納されて搬送される。
【０００６】
また、図８に示す従来技術（第二従来技術）においては、コ字型等の冷陰極放電管Ｒが、包装箱３０１内に段ボールあるいはエアパッキン等の緩衝部材３０２を介して積層されている。そして、この第二従来技術によれば、この包装箱３０１全体を上蓋あるいは何等かの包装部材（図示省略）等にて包装して構成された包装体３００が、図９に示した搬送容器４００の各領域４０１に収納されて搬送される。
【０００７】
なお、上述した第一従来技術、第二従来技術は、ともに文献に記載されたものではないため、ここに記載すべき先行技術文献情報はない。
【０００８】
【発明が解決しようとする課題】
しかしながら、上記従来技術には、次のような問題があった。
【０００９】
まず、第一従来技術においては、粘着テープ２０２を剥がして緩衝部材２０１を開封する際に、冷陰極放電管Ｒが破損しやすいという問題があった。また、このように、破損しやすいため取り扱いに気を遣い、開封作業に時間を要するという問題もあった。さらに、一本ごとに包装が行われるため、収納効率が悪いという問題があった。
【００１０】
また、第二従来技術においても、一本ずつ積層しているため開封作業に手間取るうえ、収納効率も悪いという問題があった。
【００１１】
そこで、本発明は、上記従来技術の問題を解決するためになされたものであって、コ字型あるいはＵ字型の冷陰極放電管等のランプを効率的に且つ破損を防止しつつ収納すると共に、破損のおそれなく容易に開封作業を行うことができるランプ搬送体を提供することを課題とする。また、本発明は、かかるランプ搬送体を複数収納して破損を防止しつつ効率的に搬送可能な搬送容器を提供することを課題とする。
【００１２】
【課題を解決するための手段】
本発明は、上記課題を解決するためになされたものであり、コ字型あるいはＵ字型のランプを搬送可能な搬送体であって、複数の前記ランプを跨がせて載置可能な載置部と、前記載置部上の前記ランプの曲部を覆う蓋部と、前記載置部を跨いだ前記ランプの両方の直管部を保護すべく前記直管部の直径以上の幅を有する突片部とを備えたことを特徴としている。
【００１３】
このような構成によれば、前記載置部に複数の前記ランプを跨がせた状態で載置可能であるため、ランプの効率的な搬送を実現することができる。また、このような構成によれば、前記ランプの曲部については前記蓋部で覆われ、前記ランプの直管部については前記突片部によって保護されているため、ランプの破損を効果的に防止することができる。
【００１４】
また、本発明にかかるランプ搬送体においては、前記ランプの直管部の先端部をそれぞれ覆って保護する押さえ部を備えた構成が好ましい。
【００１５】
この好ましい構成によれば、前記押さえ部を設けることによって、前記ランプ（特に端部）の破損をより効果的に防止することができる。
【００１６】
さらに、本発明は、上記課題を解決するためになされたものであり、上述したいずれかのランプ搬送体を複数収納可能な搬送容器であって、前記ランプ搬送体を一つ収納可能な略矩形の収納領域が複数設けられており、前記収納領域の寸法が前記ランプ搬送体と略同様であることを特徴としている。
【００１７】
このような構成によれば、前記収納領域とこの収納領域に収納される前記ランプ搬送体とが略同様の寸法を有し、前記収納領域と前記ランプ搬送体との間には殆ど隙間が生じないため、前記搬送容器の搬送中に振動等が生じたとしても、前記ランプ搬送体と前記収納領域との間における振動の増幅を最小限に抑えることができる。したがって、このような構成を有する搬送容器によれば、前記ランプ搬送体を複数収納して、ランプの破損を防止しつつ、多数のランプを効率的に搬送することが可能となる。
【００１８】
【発明の実施の形態】
以下、図面に基づいて本発明の実施形態を説明する。
【００１９】
図１は、本発明の実施形態にかかるランプ搬送体の概略斜視図を示したものである。また、図２は、本実施形態にかかるランプ搬送体の展開図を示したものである。また、図３は、図１のＩＩＩ−ＩＩＩ線要部断面図を示し、図４は、図１のＩＶ−ＩＶ線要部断面図を示したものである。なお、本実施形態において、ランプ搬送体１は段ボールを用いて構成されている。
【００２０】
この図１に示すように、本実施形態にかかるランプ搬送体１は、その載置部１１に、複数のコ字型（あるいはＵ字型）の冷陰極放電管等のランプＲが載置可能に構成されている。より具体的には、ランプ搬送体１は、各ランプＲの曲部（コ字型の曲部）Ｒ１を跨がせて載置可能な形状に載置部１１が構成されており（図３等参照）、ランプＲの直管部Ｒ２の形状に沿って第一側壁部１２が構成されている（図４等参照）。つまり、本実施形態においては、図１に示すように、複数のランプＲが載置部１１と第一側壁部１２とに接触するように跨った状態で載置される。
【００２１】
また、本実施形態においては、載置部１１上に載置されたランプＲの曲部Ｒ１を上方から覆うべく蓋部１３が設けられている。この蓋部１３は、図１および図２に示すように、第一蓋体１３ａと第二蓋体１３ｂとを重ね合わせて構成されている。
【００２２】
また、本実施形態においては、第一側壁部１２と共にボックス状のランプ搬送体１を構成する第二側壁部１６が、第一側壁部１２に連接して設けられている。そして、この第二側壁部１６から延設して、第一側壁部１２と略直角となる角度に、突片部１４が設けられている。この突片部１４は、第一側壁部１２に接しているランプＲの直管部Ｒ２の直径ｄ以上の高さＴを有するように構成されている（図４参照）。
【００２３】
さらに、本実施形態においては、図１等に示すように、載置されたランプＲの直管部Ｒ２の先端部Ｒ２０を覆って保護する押さえ部１５が設けられている。
【００２４】
さて、図２は、上述したように、本実施形態にかかるランプ搬送体１の展開図を示したものである。つまり、本実施形態にかかるランプ搬送体１は、段ボールを図２に示すような形状（実線にて示した形状）に切り抜いて、これを適宜折り曲げ等して構成されている。
【００２５】
具体的に、図２においては、実線部が切り込み線、破線部が山折り線、一点鎖線部が谷折り線を示している。したがって、この図２に示された実線部を切り込んで、破線部にて山折り、一点鎖線部にて谷折りを行うことによって、図１に示すようなランプ搬送体１を構成することができる。また、本実施形態においては、図２の展開図に示すように、第二側壁部１６に接するように二つの舌片１７が設けられ、各舌片１７に対応して差込部１８が設けられている。よって、本実施形態においては、第一側壁部１２および第二側壁部１６等を折り曲げて、第二側壁部１６が外側に位置するように、各舌片１７を対応する差込部１８に差し込むことによって、ボックス状のランプ搬送体１が構成されることとなる。
【００２６】
本実施形態にかかるランプ搬送体１は、以上のように構成され、図１、図３および図４に示すように、複数のランプＲを跨がせた状態で載置部１１に載置可能であって、ランプＲの曲部Ｒ１が蓋部１３にて保護され、ランプＲにおける直管部Ｒ２の先端部Ｒ２０が押さえ部１５によって保護されるため、ランプＲの破損を防止しつつ、効率的な搬送を行うことができる。
【００２７】
また、本実施形態にかかるランプ搬送体１によれば、蓋部１３が第一蓋体１３ａと第二蓋体１３ｂとを用いて構成されている。すなわち、蓋部１３が二層構造を有しているため、緩衝作用が高まりランプＲの曲部Ｒ１の破損をより効果的に防止することができる。
【００２８】
また、本実施形態にかかるランプ搬送体１においては、複数のランプＲを載置部１１に跨がせて、蓋部１３を曲部Ｒ１を保護するように被せた後、この蓋部１３を粘着テープ１９を用いて第二側壁部１６に固定している。つまり、ランプＲに余計な力を作用させることなく、ランプＲをランプ搬送体１内に固定して保持することができる。加えて、このような構成によれば、ランプ搬送体１からランプＲを取り出す場合においても、ランプＲに対しては何等力を作用させることなく、粘着テープ１９を剥がし、蓋部１３を開くことができる。したがって、本実施形態によれば、第一従来技術にて問題となっていた開封時におけるランプＲの破損を効果的に防止することができる。さらに、ランプＲの破損のおそれが低減したことによって、ランプＲの開封作業等を効率的に実施することが可能となる。
【００２９】
図５は、本実施形態にかかる搬送容器の概略斜視図を示したものである。
【００３０】
本実施形態においては、この図５に示すように、搬送容器２０は、上述したランプ搬送体１を複数収容することができるように構成されている。より具体的には、一つのランプ搬送体１を収容可能な略矩形の収納領域２１を複数設けて、搬送容器２０が構成されている。
【００３１】
また、図５に示した搬送容器２０を構成する収納領域２１は、ランプ搬送体１を収容する際の開口部の寸法（本発明の「収納領域の寸法」に相当）（Ｗ１×Ｌ１）が、ランプ搬送体１の寸法（Ｗ×Ｌ）と略同様であるように構成されている。具体的には、略同様ではあるものの、収納領域２１内にランプ搬送体１を収納するために、ランプ搬送体１よりも収納領域２１の方が僅かに大きめに形成されている（Ｗ１＞Ｗ，Ｌ１＞Ｌ）。
【００３２】
さらに、本実施形態においては、搬送容器２０の各収納領域２１内にランプ搬送体１が収納された後、収納領域２１の開口部上方に、上蓋３０が取り付け可能に構成されている。この上蓋３０は、搬送容器２０内に収納された状態のランプ搬送体１の蓋部１３を抑えるように構成されている。そして、ランプ搬送体１は、各収納領域２１内において、この上蓋３０と搬送容器２０の底部（図示省略）とで挟持されたような状態で固定して保持され、所定の箇所（例えば、次の製造工程）まで搬送されることとなる。
【００３３】
本実施形態にかかる搬送容器２０は以上のように構成されているため、次のような効果を得ることができる。
【００３４】
まず、上述したように、各収納領域２１の大きさ（Ｗ１×Ｌ１）は、ランプ搬送体１の大きさ（Ｗ×Ｌ）と略同様（Ｗ１≒Ｗ，Ｌ１≒Ｌ）であるため、ランプ搬送体１を多数収納した状態の搬送容器２０を搬送車両等に積載して搬送した場合であっても、ランプ搬送体１が収納領域２１内に過不足なくきっちりと収まった状態となるため、搬送容器２０に伝わる振動がランプ搬送体１にて増幅されない。したがって、本実施形態にかかる搬送容器２０によれば、ランプ搬送体１中のランプＲの破損を効果的に防止することができる。
【００３５】
また、本実施形態においては、上記の通り、各収納領域２１の開口部の一方の幅（Ｗ１）（図５参照）は、ランプ搬送体１を成す突片部１４端部間寸法（Ｗ）（図４等参照）と略同様（Ｗ１≒Ｗ）である。したがって、収納領域２１中のランプ搬送体１においては、各突片部１４端部が収納領域２１内壁に接することとなるため、ランプ搬送体１中のランプＲの直管部Ｒ２は、収納領域２１内壁には接触しない。つまり、本実施形態においては、各突片部１４が収納領域２１内における緩衝部材として機能するため、ランプＲの破損を防止することができる。
【００３６】
また、本実施形態においては、ランプ搬送体１が収納領域２１内にきっちりと収まる。つまり、ランプ搬送体１を成す押さえ部１５は、特に粘着テープ等にて固定しなくても、収納領域２１内壁によってランプＲ側に被さることとなる。したがって、本実施形態によれば、この押さえ部１５によって、ランプＲの先端部Ｒ２０を適切に保護することができる。
【００３７】
もちろん、押さえ部１５を、ランプＲの直管部Ｒ２に沿ってランプ搬送体１の第二側壁部１６に粘着テープ等で固定してもよい。
【００３８】
なお、本発明は上記各実施形態に限定されるものではなく、その趣旨を逸脱しない限りにおいて、上述したもの以外に種々の変更を行うことが可能である。
【００３９】
上記実施形態においては、載置部１１が直線状に形成された場合について説明したが、本発明はこの構成に限定されず、必要に応じて、ランプＲの直径あるいは曲部の形状等に合わせた切り込み等を設けて形状を変更してもよい。したがって、例えば、図６に示すように、Ｕ字型の曲部Ｒ６１とこれに連接した直管部Ｒ６２とから成るランプＲ６に対応すべく、図６に示すような形状のランプ搬送体としてもよい。この図６は、ランプ搬送体の要部断面図を示したものであって、上述した実施形態における図４に対応するものである。この実施形態によれば、第一側壁部１２の上方位置において、第二側壁部１６との連接部分に切り込みを設け、この切り込みを設けた第一側壁部１２の上方部６２が、各第一側壁部１２間に向けて折り込まれ、各々の先端同士が接合されている。この構成によれば、Ｕ字型のランプＲの中央部についても保持するため、ランプＲに作用する応力を分散して、ランプＲの破損をより効果的に防止することが出来る。
【００４０】
また、上記各実施形態においては、ランプ包装体１が、段ボールを用いて構成された場合について説明したが、本発明はこの構成に限定されず、例えば、厚紙、樹脂、あるいは金属等を用いて構成してもよい。
【００４１】
また、上記各実施形態においては、搬送するランプが、コ字型あるいはＵ字型の冷陰極放電管である場合について説明したが、本発明はこの構成に限定されず、例えば、熱陰極放電管、あるいはＸｅガス等を用いた誘電体バリア放電管等であってもよい。
【００４２】
【発明の効果】
以上説明したように、本発明によれば、コ字型あるいはＵ字型の冷陰極放電管等のランプを効率的に且つ破損を防止しつつ収納すると共に、破損のおそれなく容易に開封作業を行うことができるランプ搬送体を得ることができる。また、本発明によれば、かかるランプ搬送体を複数収納して破損を防止しつつ効率的に搬送可能な搬送容器を得ることができる。
【図面の簡単な説明】
【図１】本発明の実施形態にかかるランプ搬送体の概略斜視図
【図２】図１に示されたランプ搬送体の展開図
【図３】図１のＩＩＩ−ＩＩＩ線要部断面図
【図４】図１のＩＶ−ＩＶ線要部断面図
【図５】本発明の実施形態にかかる搬送容器の概略斜視図
【図６】本発明の他の実施形態にかかるランプ搬送体の要部断面図
【図７】従来技術（第一従来技術）にかかる冷陰極放電管の包装方法を示す概略図
【図８】従来技術（第二従来技術）にかかる冷陰極放電管の包装方法を示す概略図
【図９】従来技術にかかる搬送容器の概略斜視図
【符号の説明】
１  ランプ搬送体
１１  載置部
１２  第一側壁部
１３  蓋部
１３ａ  第一蓋体
１３ｂ  第二蓋体
１４  突片部
１５  押さえ部
１６  第二側壁部
１７  舌片
１８  差込部
１９  粘着テープ
２０  搬送容器
２１  収納領域
３０  上蓋
【図１】
2005035554.tif 000003
【図２】
2005035554.tif 000004
【図３】
2005035554.tif 000005
【図４】
2005035554.tif 000006
【図５】
2005035554.tif 000007
【図６】
2005035554.tif 000008
【図７】
2005035554.tif 000009
【図８】
2005035554.tif 000010
【図９】
2005035554.tif 000011